(57)【特許請求の範囲】
【請求項１】
画像の色表現特性を補正する複数種類の補正方式を格納する格納手段と、
入力画像を出力する出力装置を指定する指定手段と、
指定された出力装置に対して有効な補正方式を選択する選択手段と、
前記入力画像の色表現特性を選択された各補正方式と指定された画像出力装置の色特性に基づいて補正し、補正画像を得る補正手段と、
前記補正画像の夫々と前記入力画像を比較することによって各補正方式について評価値を得る補正手段と、
前記評価値を表示する表示手段と
を備えることを特徴とする画像処理装置。
【請求項２】
前記補正手段は、前記入力画像の色表現特性を選択された補正方式で補正し、各補正方式について補正画像と評価値を獲得し、
前記表示手段は、前記補正手段で得られた補正画像と評価値を表示する
ことを特徴とする請求項１に記載の画像処理装置。
【請求項３】
前記表示手段は、前記補正画像と評価値を一覧表示する
ことを特徴とする請求項２に記載の画像処理装置。
【請求項４】
前記表示手段は、評価値の高い順に並べて前記補正画像と評価値を表示する
ことを特徴とする請求項２に記載の画像処理装置。
【請求項５】
前記表示手段において表示すべき評価値の限度値を設定する設定手段を更に備え、
前記表示手段は、前記限度値よりも大きい評価値を有する補正画像と評価値とを表示する
ことを特徴とする請求項２に記載の画像処理装置。
【請求項６】
前記評価値は、入力画像と補正後の画像との色差に基づいて獲得される
ことを特徴とする請求項１又は２に記載の画像処理装置。
【請求項７】
入力画像に対して適用すべき、色表現特性の補正処理を指定する第１指定手段と、
１つ又は複数の出力装置を指定する第２指定手段と、
前記第１指定手段で指定された補正処理と前記第２指定手段で指定された画像出力装置の夫々の色特性に基づいて前記入力画像の色表現特性を補正し、各画像出力装置に対応する補正画像を得る補正手段と、
前記入力画像と比較することにより前記補正手段で得られた各補正画像の評価値を得る評価手段と、
前記評価値を表示する表示手段と
を備えることを特徴とする画像処理装置。
【請求項８】
前記表示手段は、前記補正手段で得られた補正画像と前記評価手段で得られた評価値とを表示する
ことを特徴とする請求項７に記載の画像処理装置。
【請求項９】
前記表示手段は、前記補正画像と評価値を一覧表示する
ことを特徴とする請求項８に記載の画像処理装置。
【請求項１０】
前記表示手段は、評価値の高い順に並べて前記補正画像と評価値を表示する
ことを特徴とする請求項８に記載の画像処理装置。
【請求項１１】
前記表示手段において表示すべき評価値の限度値を設定する設定手段を更に備え、
前記表示手段は、前記限度値よりも大きい評価値を有する補正画像と評価値とを表示する
ことを特徴とする請求項８に記載の画像処理装置。
【請求項１２】
前記評価値は、入力画像と補正後の画像との色差に基づいて獲得される
ことを特徴とする請求項７又は８に記載の画像処理装置。
【請求項１３】
画像の色表現特性を補正する複数種類の補正方式を格納する格納工程と、
入力画像を出力する出力装置を指定する指定工程と、
指定された出力装置に対して有効な補正方式を選択する選択工程と、
前記入力画像の色表現特性を選択された各補正方式と指定された画像出力装置の色特性に基づいて補正し、補正画像を得る補正工程と、
前記補正画像の夫々と前記入力画像を比較することによって各補正方式について評価値を得る補正工程と、
前記評価値を表示する表示工程と
を備えることを特徴とする画像処理方法。
【請求項１４】
入力画像に対して適用すべき、色表現特性の補正処理を指定する第１指定工程と、
１つ又は複数の出力装置を指定する第２指定工程と、
前記第１指定工程で指定された補正処理と前記第２指定工程で指定された画像出力装置の夫々の色特性に基づいて前記入力画像の色表現特性を補正し、各画像出力装置に対応する補正画像を得る補正工程と、
前記入力画像と比較することにより前記補正工程で得られた各補正画像の評価値を得る評価工程と、
前記評価値を表示する表示工程と
を備えることを特徴とする画像処理方法。
【発明の詳細な説明】
【０００１】
【産業上の利用分野】
本発明は、画像入出力装置によらない色表現を行うための画像処理方法及び装置に関するものである。
【０００２】
【従来の技術】
画像入出力装置の固有の色表現特性を補正することにより、所望の画像入力装置（スキャナ，スチールビデオ等）から入力した画像データを所望の表示装置（ＣＲＴ，液晶ディスプレイ等）或は画像出力装置（プリンタ，印刷機等）で出力した場合に、その画像が持つ色あいの変化を感じさせないようにするシステム（カラーマネジメントシステム）が存在する。
【０００３】
カラーマネジメントシステムは、装置の色表現能力情報と色空間圧縮処理を用いて色あいの管理を行う。ここで装置の色表現能力情報とは画像入出力装置毎の色表現特性を格納したものであり、画像入力装置と画像出力装置を選択することにより、一義的に決定するものである。また、色空間圧縮処理とは色表現範囲の狭い画像出力装置の特性に画像データの色表現能力を揃えるための処理（カラーマッチング処理）であり、その方式には彩度保存圧縮法や色相保存圧縮法など種々存在し、選択した出力装置に対して、所望の方式を自由に選択することが可能であった。
【０００４】
【発明が解決しようとする課題】
しかしながら、各カラーマッチング処理の内のどれが最適かということになると、処理対象の画像の種類（イメージデータ，ラスタグラフィックス，ベクタグラフィックス等）や使用されている色数、色あいによるところが大きく決定的なものは存在していない。このため利用者はモニタ画面に対象画像を複数表示させ、それぞれに異なるカラーマッチングをかけて比較する必要があった。
【０００５】
さらに最終的な出力結果を重視する場合には直接画像出力装置の出力を比較する必要があるため、利用者はカラーマッチング処理を切り換えながら画像出力装置から出力し、それらを見比べることにより出力したい画像に最適なカラーマッチング処理を決定していた。この方法は人間が画像を見て評価を行うため個人の嗜好や感情が評価結果にまったく関らないとはいい難いため、その客観性が問題となっていた。また、カラーマッチング方式の候補が多い場合、評価者の負担が高くなる問題があった。
【０００６】
また、  上述したように色空間の補正処理は、処理対象の画像の種類（イメージデータ、ラスタグラフィックス、べクタグラフィックス等）や、使用されている色数、色あいに合わせて自由に選択することが可能である。しかしながら、画像出力装置によっていろ表現特性が異なるので、選択した補正処理によって適切な画像出力装置が異なってくる。
【０００７】
このため、利用者は選択した色空間補正処理に最も適した画像出力装置を選択するために、モニタ画面上に夫々の画像出力装置で出力した場合のカラーマッチング処理結果を表示して比較する必要がある。この作業は、使用可能な画像出力装置の色表現能力情報を切り替えながら、カラーマッチング処理をかけてその結果を比較するという手順を繰り返す繁雑な作業であり、労力と時間を利用者に要求するものであった。
【０００８】
本発明は上記の問題点に鑑みてなされたものであり、入力画像の色空間補正処理と画像出力装置との整合性を容易に把握することが可能な画像処理方法及び装置を提供することを目的とする。
【０００９】
また、本発明は、入力画像について複数の補正処理を行った結果について評価値を与えることにより最適な補正処理の選択において客観的な判断を行うことを可能とし、補正処理の選択に際しての使用者の負担を軽減する画像処理方法及び装置を提供することを目的とする。
【００１０】
更に、本発明の他の目的は、指定された色空間補正処理を実行した場合に、各出力機器より得られる画像に評価値を与えることを可能とする画像処理方法及び装置を提供することにある。
【００１１】
【課題を解決するための手段】
上記の目的を達成するための本発明による画像処理装置は以下の構成を備える。即ち、
画像の色表現特性を補正する複数種類の補正方式を格納する格納手段と、
入力画像を出力する出力装置を指定する指定手段と、
指定された出力装置に対して有効な補正方式を選択する選択手段と、
前記入力画像の色表現特性を選択された各補正方式と指定された画像出力装置の色特性に基づいて補正し、補正画像を得る補正手段と、
前記補正画像の夫々と前記入力画像を比較することによって各補正方式について評価値を得る補正手段と、
前記評価値を表示する表示手段と
を備える。
【００１２】
また、好ましくは、前記補正手段は、前記入力画像の色表現特性を選択された補正方式で補正し、各補正方式について補正画像と評価値を獲得し、前記表示手段は、前記補正手段で得られた補正画像と評価値を表示する。補正画像と評価値を共に表示することで、使用者が視覚的かつ数値的に補正処理の適否を判断することが可能となるからである。
【００１３】
また、好ましくは、前記表示手段は、前記補正画像と評価値を一覧表示する。一覧表示することにより、補正処理後の画像を比較検討することが容易となるからである。
【００１４】
また、好ましくは、前記表示手段は、評価値の高い順に並べて前記補正画像と評価値を表示する。
【００１５】
また、好ましくは、前記表示手段において表示すべき評価値の限度値を設定する設定手段を更に備え、前記表示手段は、前記限度値よりも大きい評価値を有する補正画像と評価値とを表示する。
【００１６】
また、好ましくは、前記評価値は、入力画像と補正後の画像との色差に基づいて獲得される。
【００１７】
上記の目的を達成するための本発明の他の構成の画像処理装置は、
入力画像に対して適用すべき、色表現特性の補正処理を指定する第１指定手段と、
１つ又は複数の出力装置を指定する第２指定手段と、
前記第１指定手段で指定された補正処理と前記第２指定手段で指定された画像出力装置の夫々の色特性に基づいて前記入力画像の色表現特性を補正し、補正画像を得る補正手段と、
前記第２指定手段で指定された各画像出力装置に対して、前記補正手段で得られた補正画像の評価値を得る評価手段と、
前記評価値を表示する表示手段と
を備える。
【００１８】
【作用】
上記の構成によれば、画像の色表現特性を補正する複数種類の補正方式の中から、指定された出力装置に対して有効な補正方式が選択され、該選択された各補正方式と指定された画像出力装置の色特性に基づいて前記入力画像の色表現特性を補正して、各補正方式に対応する補正画像を得る。そして、得られた補正画像の夫々と入力画像とを比較することによって各補正方式について評価値を獲得し、これら獲得された評価値が表示される。
【００１９】
又、上記の他の発明の構成によれば、入力画像に対して適用すべき、色表現特性の補正処理を指定するとももに、画像出力を行うべき出力装置の候補として１つ又は複数の出力装置を指定する。そして、指定された補正処理と指定された各画像出力装置の夫々の色特性に基づいて入力画像の色表現特性を補正し、夫々の画像出力装置に対応した補正画像を得る。そして、各補正画像を入力画像と比較することで各補正画像の評価値が獲得され、表示される。
【００２０】
【実施例】
以下に、添付の図面を参照して本発明の好適な実施例について説明する。
【００２１】
＜実施例１＞
図１は、実施例１の画像処理装置の概略の構成を示すブロック図である。２０１は制御装置であり、データや命令を演算，判断，制御する。制御装置２０１は、例えばＣＰＵにより構成される、本装置のほとんどの処理に関与する。２０２は入力装置であり、キーボードやマウスなどで構成され、利用者とのインターフェースをとるために用いられる。２０３は記憶装置であり、ＲＯＭ、ＲＡＭ、画像メモリやハードディスクなどで構成される。各画像入出力機器の色表現能力情報や各種カラーマッチング処理方式等は、記憶装置２０３に格納されている。
【００２２】
２０４は、ＣＲＴや液晶ディスプレイなどの表示装置であり、本実施例では即時的に画像を表示し、次の表示が行われた場合には以前の表示を失ってしまう性質のものと定義し、画像出力装置とは区別して記載している。２０５はスキャナやスチールビデオカメラなどの画像入力装置である。２０６はプリンタやイメージセッタなどの画像出力装置である。上述したように、本実施例では、画像出力装置２０６とは、用紙やフィルムなどの媒体に対して画像を出力する装置として定義し、表示装置とは区別して記載している。
【００２３】
図２は、本実施例１によるカラーマッチング処理方式の選択手順を示すフローチャートである。まず、各ステップにおける処理内容を説明する。尚、各種カラーマッチング処理方式や、画像出力装置の色表現能力情報は予め記憶装置２０３に登録されている。
【００２４】
ステップＳ１は、表示装置２０４のみにカラーマッチング処理画像の一覧を表示するか、表示装置２０４と画像出力装置２０６との双方に出力するのかを利用者に指定させるステップである。尚、この選択は、入力装置２０２により行われる。ステップＳ２は、記憶装置２０３に登録されているカラーマッチング処理方式の中から画像出力装置２０６の内の現在選択されている画像出力装置に有効なものを選択するステップである。これは記憶装置２０３に登録されている画像出力装置の色表現能力情報を参照することにより、組み合わせが可能なカラーマッチング処理方式を選択することで行われる。また、本ステップで抽出された有効なカラーマッチング処理方式は一種類とは限らないためリストとして記憶装置２０３に保管しておく。
【００２５】
ステップＳ３は、処理対象として複数の画像が存在する場合に、利用者にカラーマッチング処理の対象とする画像を指定させるステップである。尚、画像の選択は入力装置２０２にて行う。ステップＳ４は、ステップＳ３にて指定されたカラーマッチング処理対象の画像に対してステップＳ２にて選択され記憶装置２０３に保管されていた有効なカラーマッチング処理方式リストの内の一方式を用いてカラーマッチング処理を実行するステップである。ステップＳ５は、ステップＳ４でカラーマッチング処理された画像と処理前の画像との色合いの差を評価関数を用いて数値的に評価するステップである。
【００２６】
ここで、評価関数の一例を説明する。Ｌａｂ空間において基準となる画像内のある色の座標をＬ１  ，ａ１  ，ｂ１  とし、その色に対応するカラーマッチング処理後の色の座標をＬ２  ，ａ２  ，ｂ２  として、色差公式により色さΔＥを求める方法がある。具体的には、以下のように表される。
【００２７】
【数１】
0003595600.tif 000002
【００２８】
このΔＥを画像に使用されている各色について求め、ΔＥの平均，分散，最大値等を計算することにより画像に対するカラーマッチング前後の色合いの変化を数値化することができる。また、画像中に特にカラーマッチングを重視する色（例えばロゴマークの色等）がある場合、その色に関してΔＥを表示するものも有意義な評価方法である。
【００２９】
ステップＳ６は、ステップＳ２で選択した有効なカラーマッチング処理方式の全てについて処理後の画像の評価を実行したかを判断するステップである。全てのカラーマッチング処理方式について処理していないと判断した場合、有効なカラーマッチング処理方式リストから未実行の処理方式を選択してステップＳ４からの処理を繰り返す。一方、全てのカラーマッチング処理方式について評価を終えたらステップＳ６からステップＳ７へ進む。ステップＳ７では、カラーマッチングの対象である原画像とステップＳ４にてカラーマッチング処理された画像とを表示装置２０４上に一覧表示するとともに、適当な位置にカラーマッチング処理の情報（処理名称など）やステップＳ５での評価結果を配置・出力するステップである。
【００３０】
ステップＳ８は、ステップＳ１にて画像出力装置２０６に対して出力することを指定されており、かつ、画像出力装置２０６が出力可能な状態であるかどうかを判断するステップである。ステップ９は、カラーマッチングの対象となったオリジナルの画像とステップＳ４にてカラーマッチング処理された画像を画像出力装置２０６によって一覧出力させるステップである。尚、一覧出力された画像は適宜な位置に、処理名称等の処理情報やステップＳ５での評価結果とを配置されている。
【００３１】
次に、本実施例１の動作について具体例を上げて説明する。本実施例を説明するための一例として、カラープリンタ（画像出力装置２０６）が接続されており、該カラープリンタ用の表現能力が記憶装置２０３に登録されているカラーマッチング処理方式のうち３種類（ＣＭ１，ＣＭ２，ＣＭ３）と組み合わせ可能であり、各処理方式による画像変換の結果をモニタ（表示装置２０４）とカラープリンタの双方に出力するように使用者が指定する場合を示す。
【００３２】
まず、ステップＳ１では、キーボード（入力装置２０２）からの入力によりモニタとカラープリンタの双方にカラーマッチング処理画像の一覧を出力することを利用者が指定する。ステップＳ２では、ハードディスク（記憶装置２０３）に登録されているカラープリンタ用の色表現能力情報とカラーマッチング処理方式情報を参照して有効なカラーマッチング処理方式ＣＭ１，ＣＭ２，ＣＭ３を選択し、リストとしてメモリ（記憶装置２０３）に保管する。ステップＳ３では、カラーマッチング処理の対象とする画像を利用者が決定する。これは、例えば、対象とすべき複数の画像を表示装置２０４に表示しておき、その中から所望の画像をマウス（入力装置２０２）より指定するようにすればよい。また、新たにスキャナ等から入力された画像が処理対象の画像となるように構成してもよい。
【００３３】
ステップＳ４では、記憶装置２０３に保管されている有効なカラーマッチング処理方式のリストからＣＭ１方式が末実行であることを判断し、ステップＳ３にて指定された画像に対してＣＭ１を用いてカラーマッチング処理を実行する。ここで、ステップＳ６における参照のために、ＣＭ１方式で実行されたことを記憶装置２０３上のカラーマッチング処理方式のリストに記録しておく。
【００３４】
ステップＳ５では、例えば上述の色差を算出する公式を用いて、ステップＳ３で指定された画像の各色についてΔＥを計算する。そして、各色について得られたΔＥの平均を求めることにより、ステップＳ４でカラーマッチング処理された画像と処理前の画像との色合いの違いを数値化する。ステップＳ６では、ステップＳ２で有効なカラーマッチング処理方式のリストを参照して、ステップＳ４における処理が全てのカラーマッチング処理について実行されたか否かを判断し、未処理のものがあればステップＳ４へ処理を戻す。以降、ＣＭ２，ＣＭ３についてステップＳ４，ステップＳ５を繰り返す。
【００３５】
ステップＳ７では、カラーマッチングの対象となったオリジナルの画像とステップＳ４にてカラーマッチング処理された後の各画像を表示装置２０４上で一覧表示する。その際、各画像の下側にカラーマッチング処理方式の名称と、画像出力装置として指定されたカラープリンタ名（本実施例では“ｐｒｔ１”）、ステップＳ５での評価結果を表示する。この様子を図３の（ａ）に示す。なお、図３は実施例１によるカラーマッチング処理方式の評価結果の表示例を表す図である。
【００３６】
ステップＳ８では、先のステップＳ１にてカラープリンタへの出力が指定されており、かつ、指定されているカラープリンタが使用可能になっているかを判断する。そして、カラープリンタへの出力が指定され、該カラープリンタが使用可能であればステップＳ９を実行する。ステップＳ９では、カラーマッチングの対象となったオリジナルの画像と、ステップＳ４にてカラーマッチング処理された画像とをカラープリンタに一覧出力させる。その際、各画像の下側にカラーマッチング処理方式名とカラープリンタ名（本実施例では“ｐｒｔ１”）ステップＳ５での評価結果を処理情報として表示する。この様子を図３の（ｂ）に示す。
【００３７】
本実施例においては、モニタ（表示装置２０４）及びカラープリンタ（画像出力装置２０６）への出力は、一覧となるように配置した後に行っている。しかしながら、表示装置２０４は通常専用のメモリ（ＶＲＡＭ）を持っているため、ステップＳ４の実行後直ちにＶＲＡＭへの配置及び出力処理を行うことが可能である。また、画像出力装置２０６が専用の記憶装置（ページメモリ等）を持っている場合なども、同様に、ステップＳ４実行後直ちにページメモリへの配置及び出力処理を行うことが可能である。
【００３８】
以上説明したように、実施例１によれば、指定された画像出力装置に対して適用可能なカラーマッチング処理の夫々について処理後の画像が表示されるとともに、処理後の画像と元の画像との対応の度合を表す評価値が表示される。このため、指定された画像出力装置に対してどのカラーマッチング処理が適切であるかを客観的に判断することが可能となり、使用者の負担が軽減される。
【００３９】
＜実施例１の変形例＞
上記実施例１の図３によって示した、各カラーマッチング処理後の画像や評価値の表示手法については各種の変形が可能である。
【００４０】
例えば、図２に示したフローチャートのステップＳ７及びステップＳ９において、カラーマッチング処理された複数の画像を配置するにあたり、ステップＳ５での数値化された評価結果を基にして昇順もしくは降順に画像を配置し出力するように構成してもよい。例として、ＣＭ１処理方式が６５点、ＣＭ２処理方式が７０点、ＣＭ３処理方式が８５点の評価結果であり、画像を昇順で配置した場合、図４に示すようにオリジナル，ＣＭ３，ＣＭ２，ＣＭ１の順に配置され、表示される。
【００４１】
また、カラーマッチング処理後の画像の表示数を予め指定しておき、評価値の高い処理結果について指定された表示数分だけ表示するというようにしてもよい。即ち、図２に示すフローチャートのステップＳ７及びステップＳ９において、カラーマッチングされた複数の画像を配置するにあたり、ステップＳ５での数値化された評価結果を基にして、あらかじめ指定された画像の表示個数分の画像をを昇順に配置し出力を行う。例として、ＣＭ１処理方式が６５点、ＣＭ２処理方式が７０点、ＣＭ３処理方式が８５点の評価結果であり、表示画像数を２に指定した場合、図５に示すようにオリジナル，ＣＭ３，ＣＭ２の順に表示装置２０４上に配置され、出力される。この場合、ＣＭ１は表示されない。
【００４２】
更に、カラーマッチング処理後の評価値が予め設定された評価値以上の画像を表示するように構成することもできる。これは、図２に示すフローチャートのステップＳ７及びステップＳ９において、カラーマッチングされた複数の画像を配置するにあたり、各画像のステップＳ５で数値化された評価結果をあらかじめ指定された評価得点の最低点数と比較し、最低点数以上の評価得点の画像のみを配置し、表示出力を行うことで達成される。
【００４３】
例えば、ＣＭ１処理方式が６５点、ＣＭ２処理方式が７０点、ＣＭ３処理方式が８５点の評価結果であり、評価得点の最低点数を７０点に指定した場合、図６に示すようにオリジナル，ＣＭ３，ＣＭ２の順に配置・出力され、ＣＭ１は出力されない。
【００４４】
＜実施例２＞
上記実施例１では、予め指定した出力装置に対して適用可能なカラーマッチング処理方式を選別し、選別された夫々のカラーマッチング処理方式について評価値を獲得して表示している。本実施例２では、予め指定したカラーマッチング処理方式を用いた場合に、各種出力装置毎に評価値を算出し、これを表示する画像処理装置を説明する。尚、本実施例２による画像処理装置の構成は実施例１（図１）と同様であるのでここでは説明を省略する。
【００４５】
図７は実施例２における画像出力装置の選定手順を説明するフローチャートである。同図において、ステップＳ２１は、予め記憶装置２０３に登録されている画像出力装置リストの中からカラーマッチング処理対象とするものを指定する。本実施例は単一の色空間圧縮処理方式に対してどの画像出力装置が最適であるのかを比較する処理であるため、画像出力装置は複数指定可能とし、指定された画像出力装置は記憶装置２０３にリストの形式で保持される。尚、画像出力装置の指定は、入力装置２０２を用いて行われる。
【００４６】
ステップＳ２２は、予め記憶装置２０３に記憶されている色空間圧縮方式リストの中から、利用者が所望の方式を指定するステップである。この指定操作は、入力装置２０２を用いて行われ、指定された色空間圧縮方式は記憶装置２０３に保持される。ステップＳ２３は、利用者にカラーマッチング処理の対象とする画像を指定させるステップである。指定は入力装置２０２にて行い、指定された画像は記憶装置２０３に保存する。
【００４７】
ステップＳ２４は、ステップＳ２３にて指定されたカラーマッチング処理対象の画像に対して、ステップＳ２２で指定された色空間圧縮方式とステップＳ２１で指定された画像出力装置リストのうちの一つを組み合わせたカラーマッチング処理を実行するステップである。ステップＳ２５はステップＳ２４でカラーマッチング処理された画像と処理前の画像との色合いの差を評価関数を用いて数値的に評価するステップである。評価関数については、実施例１（図２）のステップＳ５と同様であり、ここでは説明を省略する。
【００４８】
ステップＳ２６は、ステップＳ２１で指定した画像出力装置の全てに対してカラーマッチング処理を実行したかを判断するステップである。全ての画像出力装置について処理していないと判断した場合、画像出力装置リストから未実行のものを選択してステップＳ４からの処理を繰り返す。ステップＳ２７は、カラーマッチングの対象である原画像とステップＳ２４にてカラーマッチング処理された画像を表示装置２０４に対して一覧表示させるため、適当な位置に処理情報やステップＳ２５での評価結果等を配置し、出力する。
【００４９】
次に、色空間圧縮方式としてＣＭ１、一覧表示の対象となる画像出力装置として３種のカラープリンタ（ｐｒｔ１、ｐｒｔ２、ｐｒｔ３）を選択した場合について説明する。
【００５０】
ステップＳ２１では、ハードディスク（記憶装置２０３）に予め登録されている画像出力装置リストをモニタ上に表示し、利用者はこの表示の中から、所望の画像出力装置をマウス等（入力装置２０１）を用いて選択する。ここでは、ｐｒｔ１、ｐｒｔ２、ｐｒｔ３を選択するものとする。ｐｒｔ１、ｐｒｔ２、ｐｒｔ３はリストとして記憶装置２０３に保存する。
【００５１】
ステップＳ２２では、ハードディスク（記憶装置２０３）に予め登録されている色空間圧縮処理方式リストをモニタ（表示装置２０４）上に表示し、利用者はリストからマウス（入力装置２０１）を用いてＣＭ１処理方式を指定する。指定されたＣＭ１処理方式は、メモリ（記憶装置２０３）に保存する。
【００５２】
ステップＳ２３では、マウスによりカラーマッチング処理の対象とする画像（原画像）を利用者が決定する。ステップＳ２４では、記憶装置２０３上の画像出力装置リストから、ｐｒｔ１に対する処理が未実行であると判断し、ステップＳ３にて指定された原画像に対して色空間圧縮法ＣＭ１を適用し、ｐｒｔ１の色表現能力情報を用いてカラーマッチング処理を実行した後、ｐｒｔ１に対する処理を実行したことを上記ステップＳ２１で保存した画像処理装置リストに記録する。
【００５３】
ステップＳ２５では、各色について、（式１）を用いて、処理後の画像と原画像との色差ΔＥを算出し、カラーマッチング処理された画像と原画像との色合いの違いを数値化する。ステップＳ２６では、ステップＳ２１で指定した画像出力装置のリストの情報から、全ての画像出力装置に関してカラーマッチング処理を実行したか否かを判断し、未処理の画像出力装置があればステップＳ２４へ処理を戻す。以降、ｐｒｔ２、ｐｒｔ３に対して上述のステップＳ２４、ステップＳ２５を繰り返す。
【００５４】
ステップＳ２６において、ステップＳ２１で指定された画像出力装置の全てに対して上述の処理が施されていればステップＳ２７へ進む。ステップＳ２７では、原画像と、ステップＳ２４でカラーマッチング処理された各画像を表示装置２０４上に一覧表示する。この際、各画像の下側には、画像処理装置名（ｐｒｔ１、ｐｒｔ２、ｐｒｔ３）と色空間圧縮処理方式名、及びステップＳ２５での評価結果を処理情報として表示する。この表示状態の例を図８に示す。
【００５５】
以上説明したように、実施例２によれば、一つのカラーマッチング処理と複数の画像出力装置を指定し、指定されたカラーマッチング処理を用いて各画像出力装置で画像形成を行った場合の、各画像の評価値が得られる。このため、使用者は指定されたカラーマッチング処理に適した画像出力装置を容易に知ることが可能となる。
【００５６】
＜実施例２の変形例＞
上記実施例２の図８によって示した、各カラーマッチング処理後の画像や評価値の表示手法については各種の変形が可能である。
【００５７】
例えば、図７に示したフローチャートのステップＳ２７において、カラーマッチング処理された複数の画像を配置するにあたり、ステップＳ２５での数値化された評価結果を基にして昇順もしくは降順に画像を配置し出力するように構成してもよい。例として、ＣＭ１処理方式による各画像出力装置の評価点が、ｐｒｔ１が６５点、ｐｒｔ２が７０点、ｐｒｔ３が８５点の評価結果であり、画像を昇順で配置した場合は、図９に示すようにオリジナル，ｐｒｔ３，ｐｒｔ２，ｐｒｔ１の順に配置され、表示される。
【００５８】
また、カラーマッチング処理後の画像の表示数を予め指定しておき、評価値の高い処理結果について指定された表示数分だけ表示するというようにしてもよい。即ち、図７に示すフローチャートのステップＳ２７において、カラーマッチングされた複数の画像を配置するにあたり、ステップＳ２５での数値化された評価結果を基にして、あらかじめ指定された画像の表示個数分の画像を昇順に配置して出力を行う。例として、ＣＭ１処理方式を適用した場合に、各画像出力装置に対する評価点が、ｐｒｔ１が６５点、ｐｒｔ２が７０点、ｐｒｔ３が８５点の評価結果であり、表示画像数を１に指定した場合、図１０に示すようにオリジナル，ｐｒｔ３の順に表示装置２０４上に配置され、出力される。この場合、ｐｒｔ１及びｐｒｔ２に対する画像は表示されない。
【００５９】
更に、カラーマッチング処理後の評価値が予め設定された評価値以上の画像を表示するように構成することもできる。これは、図７に示すフローチャートのステップＳ２７において、カラーマッチングされた複数の画像を配置するにあたり、各画像のステップＳ２５で数値化された評価結果をあらかじめ指定された評価得点の最低点数と比較し、最低点数以上の評価得点の画像のみを配置し、表示出力を行うことで達成される。
【００６０】
例えば、ＣＭ１の処理方式を適用した場合に、ｐｒｔ１による評価点が６５点、ｐｒｔ２が７０点、ｐｒｔ３が８５点という評価結果であり、評価得点の最低点数を７０点に設定した場合、図１１に示すようにオリジナル，ｐｒｔ３，ｐｒｔ２の順に配置・出力され、ＣＭ１は出力されない。
【００６１】
以上説明したように、上記実施例１によれば、指定された画像出力装置に対して選択可能な全てのカラーマッチング処理の夫々によって処理された画像が表示装置や画像出力装置に一覧出力される。この出力には、各画像についての色差の平均，分散，最大値等の評価結果情報が付加されるため、出力画像や出力装置に最適なカラーマッチング処理を選択する際に画像自身のみでなく評価関数による客観的な数値を加味して検討することが可能になる。
【００６２】
また、評価関数による得点の順に画像一覧を並べかえることにより、各カラーマッチング処理の客観的な優位差を容易に認識することが可能となる。
【００６３】
さらに、一覧表示する画像数を限定して評価関数による得点の高いものから順表示することにより、多数のカラーマッチング処理方式がある場合でも候補を絞り込むことができるため、より選択を容易にすることが可能となる。
【００６４】
評価関数の得点と出力画像の相関が把握できている場合には、評価得点の最低点数を指定し、最低得点未満と評価されたカラーマッチング処理方式による画像は表示しないようにすることが可能である。
【００６５】
また、上記実施例によれば、指定された一つの色空間圧縮方式に対して指定された全ての画像出力装置の色再現情報を用いてカラーマッチング処理された画像が表示装置に一覧出力される。更に、出力には各画像についての色差の平均、分散、最大値等の評価結果情報が付加される。これにより、簡易な操作で各画像出力装置に対するカラーマッチング処理画像を視覚的、数値的に比較でき、指定したカラーマッチング処理に適した画像出力装置を選択することが容易となる。
【００６６】
また、評価関数による得点の順に画像一覧を並べかえることにより、指定されたカラーマッチング処理に対する各画像出力装置の客観的な優位差を容易に認識することが可能となる。
【００６７】
さらに、一覧表示する画像数を限定して、評価関数による得点の高いものから順に表示することにより、多数のカラーマッチング処理方式がある場合でも候補を絞り込むことができるため、より選択を容易にすることが可能となる。
【００６８】
評価関数の得点と出力画像の相関が把握できている場合には、評価得点の最低点数を指定し、最低得点未満と評価されたカラーマッチング処理方式による画像は表示しないようにすることが可能である。
【００６９】
尚、上述の掻く実施例におけるカラーマッチング方式、即ち、色空間圧縮方法の一例としては、
（１）彩度保存圧縮法
入力画像データの彩度がなるべく保存されるように画像出力装置の色再現範囲内に入力画像データをマッピングする．
（２）色相保存圧縮法
入力画像データの色相を保存して画像出力装置の色再現範囲内に入力画像データをマッピングする．
（３）輝度保存圧縮法
入力画像データの輝度を保存して画像出力装置の色再現範囲内に入力画像データをマッピングする．
が挙げられる。
【００７０】
尚、本発明は、複数の機器から構成されるシステムに適用しても１つの機器からなる装置に適用しても良い。また、本発明はシステム或いは装置に本発明により規定される処理を実行させるプログラムを供給することによって達成される場合にも適用できることはいうまでもない。
【００７１】
【発明の効果】
以上説明したように、本発明によれば、入力画像の色空間補正処理と画像出力装置との整合性を容易に把握することが可能となる。
【００７２】
また、本発明によれば、入力画像について複数の補正処理を行った結果について評価値を与えることにより最適な補正処理の選択において客観的な判断を行うことが可能となり、補正処理の選択に際しての使用者の負担が軽減される。
【００７３】
更に、本発明によれば、指定された色空間補正処理を実行した場合に、各出力機器より得られる画像に評価値を与えることが可能となる。
【００７４】
【図面の簡単な説明】
【図１】実施例１の画像処理装置の概略の構成を示すブロック図である。
【図２】実施例１によるカラーマッチング処理方式の選択手順を示すフローチャートである。
【図３】実施例１によるカラーマッチング処理方式の評価結果の表示例を表す図である。
【図４】実施例１の変形例によるカラーマッチング処理方式の評価結果の表示例を表す図である。
【図５】実施例１の変形例によるカラーマッチング処理方式の評価結果の表示例を表す図である。
【図６】実施例１の変形例によるカラーマッチング処理方式の評価結果の表示例を表す図である。
【図７】実施例２における、画像出力装置の選定手順を説明するフローチャートである。
【図８】実施例２におけるカラーマッチング処理方式の評価結果の表示例を表す図である。
【図９】実施例２の変形例におけるカラーマッチング処理方式の評価結果の表示例を表す図である。
【図１０】実施例２の変形例におけるカラーマッチング処理方式の評価結果の表示例を表す図である。
【図１１】実施例２の変形例におけるカラーマッチング処理方式の評価結果の表示例を表す図である。
【符号の説明】
２０１  制御装置
２０２  入力装置
２０３  記憶装置
２０４  表示装置
２０５  画像入力装置
２０６  画像出力装置
【図１】
0003595600.tif 000003
【図２】
0003595600.tif 000004
【図３】
0003595600.tif 000005
【図４】
0003595600.tif 000006
【図５】
0003595600.tif 000007
【図６】
0003595600.tif 000008
【図７】
0003595600.tif 000009
【図８】
0003595600.tif 000010
【図９】
0003595600.tif 000011
【図１０】
0003595600.tif 000012
【図１１】
0003595600.tif 000013